(57)【要約】      （修正有）【課題】ソーラーモジュール配列用の固定システムの部材としてのプロフィルレールを屋根下部構造に結合する、複数部材からなる屋根フックを提供する。【解決手段】複数部材からなる屋根フック２００は、固定部材２１０が、第１及び第２の固定脚片を有する直角のアングルプロフィルであり、第２の固定脚片２１２が、第１の固定脚片２１１側の面に第１の鋸歯輪郭２１３を有し、結合部材２２０が、第１及び第２の結合脚片が、互いに平行な長手延在方向を有し、中間部分により互いに結合されており、第１の結合脚片２２１が、中間部分側の面に第２の鋸歯輪郭２２５を有し、かつ第１の鋸歯輪郭と第２の鋸歯輪郭とが、据え付け状態において、第２の固定脚片及び第１の結合脚片に圧力が作用して、結合部材と固定部材との相対移動を阻止し、非据え付け状態において、結合部材と固定部材との相互の相対移動を許可するように構成されている。【選択図】図３
2016121524.tif 000002
【特許請求の範囲】
【請求項１】
プロフィルレール、特にソーラーモジュール配列用の固定システムの部材としてのプロフィルレールを屋根下部構造に結合する、複数部材からなる屋根フック（２００）であって、
前記屋根下部構造に固定可能な固定部材（１１０）と、
据え付け状態を形成すべく前記固定部材（１１０）に固定可能な結合部材（１２０）と、
を備える屋根フック（２００）において、
前記固定部材（１１０）は、第１及び第２の固定脚片（１１１，１１２）を有する直角のアングルプロフィルであり、
前記第２の固定脚片（１１２）は、前記第１の固定脚片（１１１）側の面に第１の鋸歯輪郭（１１４）を有し、
前記結合部材（１２０）は、第１及び第２の結合脚片（１２１，１２２）を有し、前記第１及び第２の結合脚片（１２１，１２２）は、互いに平行な長手延在方向を有し、中間部分（１３０）により互いに結合されており、
前記第１の結合脚片（１２１）は、前記中間部分（１３０）側の面に第２の鋸歯輪郭（１２５）を有し、かつ
前記第１の鋸歯輪郭（１１４）と前記第２の鋸歯輪郭（１２５）とは、据え付け状態において、前記第２の固定脚片（１１２）及び前記第１の結合脚片（１２１）に圧力が作用して、前記結合部材（１２０）と前記固定部材（１１０）との相対移動を阻止し、非据え付け状態において、前記結合部材（１２０）と前記固定部材（１１０）との相互の相対移動を許可するように構成されている、
ことを特徴とする屋根フック。
【請求項２】
前記固定部材（２１０）を前記結合部材（２２０）に固定し、据え付け状態において圧力を前記第２の固定脚片（２１２）及び前記第１の結合脚片（２２１）に対して及ぼすように構成されている固定手段（２４０）を備える、請求項１記載の屋根フック。
【請求項３】
前記第１の結合脚片（２２１）は、長穴（２２３）を有する、請求項１又は２記載の屋根フック。
【請求項４】
前記中間部分（１３０）は、側面図で見てＵ字形又はＪ字形に構成されている、請求項１から３までの少なくとも１項記載の屋根フック。
【請求項５】
前記中間部分（１３０）は、中空室プロフィルの形態で構成されている、請求項１から４までの少なくとも１項記載の屋根フック。
【請求項６】
前記第２の結合脚片（１２２）は、鋸歯輪郭、長穴又は鋸歯輪郭及び長穴の両方を有する、請求項１から５までの少なくとも１項記載の屋根フック。
【請求項７】
前記第２の固定脚片（１１２）にハンマヘッド溝が形成されている、請求項１から６までの少なくとも１項記載の屋根フック。
【請求項８】
前記固定手段（２４０）は角根丸頭ボルトである、請求項２から７までの少なくとも１項記載の屋根フック。
【請求項９】
前記固定部材（２１０）又は前記結合部材（２２０）は、アルミニウムから製造されている、請求項１から８までの少なくとも１項記載の屋根フック。
【請求項１０】
請求項１から９までのいずれか１項記載の少なくとも１つの屋根フック（２００）と、前記屋根フック（２００）に固定されている少なくとも１つのプロフィルレール（３５０）とを備える固定システム。
【発明の詳細な説明】
【技術分野】
【０００１】
本発明は、プロフィルレールを屋根下部構造に結合する複数部材からなる屋根フック及びソーラーモジュール配列用の固定システムに関する。
【背景技術】
【０００２】
このような屋根フックは、特にソーラーモジュール配列用の固定システムの部材として用いられる。ソーラーモジュール、特に太陽電池モジュール又は太陽コレクタは、周知のように多くの場合屋根に据え付けられる。このために原則、インルーフ型システム及びオンルーフ型システムがある。ソーラーモジュールは、インルーフ型システムの場合、屋根瓦の代わりに据え付けられる一方、オンルーフ型システムの場合は、屋根瓦の上に配置される。このことは、屋根構造へのソーラーモジュールの確実な固定を必要とする。このために典型的には、屋根瓦の間に掛着され、屋根下部構造に固定される屋根フックが使用される。
【０００３】
オンルーフ型システムの場合、ソーラーモジュールは、高所で、しかも往々にして勾配屋根上にて据え付けられる。これに応じて、可及的簡単に取り扱い可能であって、少ない作業工程で据え付け可能なソーラーモジュール固定システムが利用可能であることが望ましい。従来技術において既に、例えば下記特許文献１及び２に記載されているように、ソーラーモジュール配列用の屋根フックが公知である。
【先行技術文献】
【特許文献】
【０００４】
【特許文献１】独国特許出願公開第１０２０１１０８４２１５号明細書
【特許文献２】独国実用新案第２０２００８０１６０００号明細書
【発明の概要】
【課題を解決するための手段】
【０００５】
本発明に係る屋根フックは、請求項１に特定され、このような屋根フックを備える固定システムは、請求項８に特定されている。好ましい形態は、従属請求項に看取可能である。
【０００６】
第１の態様において本発明は、プロフィルレールを屋根下部構造に結合する、複数部材からなる屋根フックに関する。この場合、プロフィルレールは、特にソーラーモジュール配列用の固定システムの部材として構成されている。屋根フックは、屋根下部構造に固定可能な固定部材と、据え付け状態を形成すべく固定部材に固定可能な結合部材とを備える。固定部材は、第１及び第２の固定脚片を有する直角のアングルプロフィルであり、第２の固定脚片は、第１の固定脚片側の面に第１の鋸歯輪郭を有する。結合部材は、第１及び第２の結合脚片を有し、第１及び第２の結合脚片は、互いに平行な延在方向を有し、中間部分により互いに結合されている。この場合、第１の結合脚片は、中間部分側の面に第２の鋸歯輪郭を有する。第１の鋸歯輪郭と第２の鋸歯輪郭とは、据え付け状態において、第２の固定脚片及び第１の結合脚片に圧力が作用して、結合部材と固定部材との相対移動を阻止し、非据え付け状態において、結合部材と固定部材との相互の相対移動を許可するように構成されている。
【０００７】
屋根フックの複数部材からなる設計の結果として、屋根フックは、様々な厚さの屋根葺き材に使用可能である。同時に所望の間隔は、結合部材と固定部材との相互の変位を介して簡単に設定可能である。このとき鋸歯輪郭は、据え付け状態において滑脱がもはや不可能であることを保証する。さらに本発明の第１の態様に係る屋根フックは、可及的少ない材料使用量で高い負荷容量を達成する。これにより本発明に係る屋根フックは、屋根下部構造への特に有利な負荷導入も保証する。さらに比較的簡単に製造したい個別部材の製造上の利点が生じ、個別部材は、次に組み立てられて、複数部材からなる屋根フックを形成可能である。
【０００８】
以下に、屋根フックの好ましい形態について説明する。
【０００９】
好ましい形態において、屋根フックは、固定部材及び結合部材に加えて、固定部材を結合部材に固定し、据え付け状態において圧力を第２の固定脚片及び第１の結合脚片に対して及ぼすように構成されている固定手段を備える。特に固定手段として、ボルト、溝、ナット、クリップホルダ等が好適である。
【００１０】
好ましくは、第１の結合脚片は、貫通穴、特に固定手段を容易に収容可能な長穴を有している。
【００１１】
別の形態において、中間部分は、側面図で見てＵ字形又はＪ字形に構成されている。別の形態において、中間部分は、中空室プロフィルの形態で構成されている。本形態は、荷重負担能力は同じまま、材料の節減を可能にし、その結果、屋根下部構造への特に有利な負荷導入が実施される。
【００１２】
屋根フックの別の形態において、第２の結合脚片は、鋸歯輪郭又は長穴を有する。第２の結合脚片における長穴と鋸歯輪郭との組み合わせも、有利である。本形態により、屋根フックへのプロフィルレールの特に簡単な据え付けが可能である。
【００１３】
好ましくは、第２の固定脚片にハンマヘッド溝が形成されている。ハンマヘッド溝は、固定部材への結合部材の簡単かつ確実な固定を可能にする。一形態において、固定手段は角根丸頭ボルトである。別の形態では、ナットを有する六角ボルトが使用される。
【００１４】
屋根フックの好ましい形態において、固定部材、結合部材又は固定部材及び結合部材の両方は、アルミニウムから製造されている。
【００１５】
第２の態様において本発明は、本発明の第１の態様又は本願に記載の形態の１つに係る屋根フックと、屋根フックに固定されているプロフィルレールとを備える固定システムに関する。この固定システムは、屋根フックの上述の利点を共有する。
【００１６】
以下に、本発明のさらなる利点及び特徴について、例示的な実施の形態において添付の図面を参照しながら説明する。
【図面の簡単な説明】
【００１７】
【図１】本発明の第１の態様に係る複数部材からなる屋根フックの固定部材の一実施の形態を示す図である。
【図２】本発明の第１の態様に係る複数部材からなる屋根フックの結合部材の一実施の形態の斜視図（図２ａ）及び断面図（図２ｂ）である。
【図３】本発明の第１の態様に係る複数部材からなる屋根フックの一実施の形態を示す図である。
【図４】本発明の第２の態様に係る固定システムの一実施の形態を示す図である。
【発明を実施するための形態】
【００１８】
図１は、複数部材からなる屋根フックの固定部材１１０を示している。固定部材１１０は、直角のアングルプロフィルの形態で構成されており、第１の固定脚片１１１及び第２の固定脚片１１２を有している。第１の固定脚片１１１は、複数の貫通穴１１３を有している。屋根下部構造と結合するために、固定手段、例えばボルトが、貫通穴に通されて、固定部材１１０を屋根下部構造に固定する。第２の固定脚片は、第１の鋸歯輪郭１１４を有している。さらに第２の固定脚片には、ハンマヘッド溝１１５が配置されている。屋根フックの据え付け状態では、後続の図２に詳細を示す結合部材が、固定部材１１０に固定されている。このために結合部材は、第２の鋸歯輪郭を有している。この場合、第１の鋸歯輪郭１１４と第２の鋸歯輪郭とは、据え付け状態において、固定部材と結合部材とに圧力が及ぼされると、結合部材と固定部材１１０との相互の相対移動が阻止されているように配置されている。これに対して、非据え付け状態においては、結合部材と固定部材１１０との相互の相対移動が可能である。
【００１９】
図２は、複数部材からなる屋根フックの結合部材１２０の一実施の形態を示している。図２ａは、結合部材１２０を斜視図で示し、図２ｂは、結合部材の断面図を示している。結合部材１２０は、第１の結合脚片１２１及び第２の結合脚片１２２を有している。図２ａ及び図２ｂに示す実施の形態において、第１の結合脚片及び第２の結合脚片の両方は、長穴１２３，１２４を有している。第１の結合脚片は、中間部分側の面に第２の鋸歯輪郭１２５を有している。第２の結合脚片１２２は、第３の鋸歯輪郭１２６を有している。結合部材１２０は、複数部材からなる屋根フックにおいて固定部材と結合可能である。特に第２の固定脚片と第１の結合脚片１２１とは互いに結合される。それゆえ第２の鋸歯輪郭１２５は、第１の鋸歯輪郭と相補的に構成されている。さらに結合部材１２０は、中間部分１３０を有している。中間部分１３０は、図示の実施の形態ではＪ字形の中空室プロフィルとして構成されている。
【００２０】
図３は、本発明の第１の態様に係る複数部材からなる屋根フック２００の一実施の形態を示している。屋根フック２００は、固定部材２１０、結合部材２２０及び固定手段２４０を有している。固定手段は、固定部材２１０を結合部材２２０に固定する。図示の実施の形態において、固定手段２４０は、角根丸頭ボルト２４１である。角根丸頭ボルトの四角形の首部は、第２の固定脚片２１２に配置されるハンマヘッド溝２１５内に収容されている。四角形の首部は、ハンマヘッド溝内で回動不能であるという利点を提供する。結合部材２２０は、長穴２２３を有している。長穴２２３内には、固定手段２４０のボルト２４１が収容されている。固定手段２４０のボルト２４１を締めることにより、圧力が第２の固定脚片２１２及び第１の結合脚片２２１に及ぼされる。この場合、第１の鋸歯輪郭２１３及び第２の鋸歯輪郭２２５は、圧力の下で、結合部材２２０と固定部材２１０との相対移動が阻止されているように配置されている。長穴２２３内での固定手段２４０の様々な位置決めにより、第１の固定脚片２１１、ひいては屋根下部構造に対する結合部材の様々な間隔の設定が可能である。
【００２１】
図４は、本発明の第２の態様に係る固定システム３００の一実施の形態を示している。固定システム３００は、結合部材３２０と、固定部材３１０と、固定手段３４０とを有する屋根フック３０１を有している。結合部材３２０の第２の結合脚片には、プロフィルレール３５０が固定されている。プロフィルレールは、ハンマヘッド溝３５１を有している。プロフィルレール３５０は、溝ナットを有するボルトの形態の固定手段（図示せず）により、第２の結合脚片に設けられた貫通穴を介して結合部材に固定されている。
【図１】
2016121524.tif 000003
【図２】
2016121524.tif 000004
【図３】
2016121524.tif 000005
【図４】
2016121524.tif 000006
【外国語明細書】
2016121524.tif 000007
2016121524.tif 000008
2016121524.tif 000009
2016121524.tif 000010
2016121524.tif 000011
2016121524.tif 000012
2016121524.tif 000013
2016121524.tif 000014
2016121524.tif 000015
2016121524.tif 000016
2016121524.tif 000017
2016121524.tif 000018